(57)【要約】【課題】フィルタを短時間で浄化することが可能なフィルタ浄化装置を提供する。【解決手段】フィルタ浄化装置１０のバキューム１１は、吸引口２５を被浄化フィルタ１３の上方に配置し、吸引口２５から被浄化フィルタ１３の埃塵を空気と共に吸引する。バキューム１１で吸引された空気は、エアフィルタ２１で埃塵が除去されつつ、ブロア２３によって循環され、接続通路３４に送られる。空気は、接続通路３４でイオン発生器１２から発生するマイナスイオンを含み、被浄化フィルタ１３の下面１３Ａに向けて送出される。マイナスイオンを含む空気は、吸引口２５から吸引されることにより、被浄化フィルタ１３を通過し、これにより、被浄化フィルタ１３を除電する。そのため、被浄化フィルタ１３に付着した埃塵は剥がれやすくなり、吸引口２５から吸引されやすくなる。【選択図】図１
2013000682.tif 000002
【特許請求の範囲】
【請求項１】
イオン発生器と、前記イオン発生器で発生したイオンを含む空気を被浄化フィルタを通るように吸引し、前記被浄化フィルタに付着した埃塵を除去するバキュームとを備えることを特徴とするフィルタ浄化装置。
【請求項２】
前記被浄化フィルタに向けて送られる前記イオンを含む空気の流量を、前記バキュームが吸引する空気の流量より少なくして、前記被浄化フィルタを通らない空気を前記バキュームにより吸引させることを特徴とする請求項１に記載のフィルタ浄化装置。
【請求項３】
前記被浄化フィルタに向けて送られる前記イオンを含む空気の流量を、前記バキュームが吸引する空気の流量と同じにすることを特徴とする請求項１に記載のフィルタ浄化装置。
【請求項４】
前記バキュームで吸引された空気を循環させ、かつ前記イオンを含ませて、前記被浄化フィルタに向けて再度送るとともに、前記イオンを含む空気が循環される循環経路に、前記バキュームで吸引した空気から埃塵を除去するエアフィルタが設けられることを特徴とする請求項１に記載のフィルタ浄化装置。
【請求項５】
前記循環経路に孔が設けられ、前記循環経路を通る空気の一部が、前記孔から外部に出されて、前記被浄化フィルタに向けて送られる前記イオンを含む空気の流量が、前記バキュームが吸引する空気の流量より少なくなることを特徴とする請求項４に記載のフィルタ浄化装置。
【請求項６】
前記バキュームは、負圧により前記空気を吸引し、かつ空気を循環させる送風機を備え、
前記送風機の上流側にエアフィルタが、前記送風機の下流側に前記イオン発生器が配置されることを特徴とする請求項４に記載のフィルタ浄化装置。
【請求項７】
前記イオンを含む空気を、前記被浄化フィルタの一方の面から他方の面に通すとともに、前記被浄化フィルタは、前記他方の面側が上流となるように使用されたものであることを特徴とする請求項１に記載のフィルタ浄化装置。
【請求項８】
前記被浄化フィルタの一方の面に対向する位置から前記イオンを含む空気が前記一方の面に向けて送られるとともに、前記被浄化フィルタの他方の面に対向するように、前記バキュームの吸引口を配置させることを特徴とする請求項１に記載のフィルタ浄化装置。
【請求項９】
イオン発生器で発生したイオンを含む空気を、被浄化フィルタを通るようにバキュームにより吸引し、前記被浄化フィルタに付着した埃塵を除去することを特徴とするフィルタ浄化方法。
【発明の詳細な説明】
【技術分野】
【０００１】
本発明は、使用済みフィルタを浄化して、再利用可能とするフィルタ浄化装置及びフィルタ浄化方法に関する。
【背景技術】
【０００２】
各種建物や設備の空調システムには、室内等の空気を清浄化するためにエアフィルタが広く使用されている。このような空調用エアフィルタは、近年、環境保護の観点から、洗浄されて再利用されることが検討されつつある。フィルタの洗浄は、例えば、水などの液体が用いられて超音波振動によって行われ、その後、乾燥されるのが一般的である（例えば、特許文献１）。
【先行技術文献】
【特許文献】
【０００３】
【特許文献１】特開平１１−１８８３２２号公報
【発明の概要】
【発明が解決しようとする課題】
【０００４】
しかし、上記した従来の方法では、液体洗浄・乾燥を行うために、装置が比較的大掛かりなものとなり、コスト的なデメリットが大きい。また、洗浄・乾燥装置の持ち運びが難しく、さらには、洗浄・乾燥に時間を要するため、フィルタ設置場所から取り外されたフィルタを直ちに清浄化することができない。したがって、フィルタを再利用する場合であっても、代わりのフィルタを用意する必要があった。
【０００５】
そこで、本発明は、以上の問題点に鑑みてなされたものであり、簡単な構造を有し、かつフィルタを短時間で浄化することが可能なフィルタ浄化装置を提供することを目的とする。
【課題を解決するための手段】
【０００６】
本発明に係るフィルタ浄化装置は、イオン発生器と、イオン発生器で発生したイオンを含む空気を被浄化フィルタを通るように吸引し、被浄化フィルタに付着した埃塵を除去するバキュームとを備えることを特徴とする。
【０００７】
本発明では、被浄化フィルタに向けて送られるイオンを含む空気の流量を、バキュームが吸引する空気の流量より少なくして、被浄化フィルタを通らない空気をバキュームにより吸引させることが好ましい。ただし、被浄化フィルタに向けて送られるイオンを含む空気の流量を、バキュームが吸引する空気の流量と同じにしても良い。
【０００８】
バキュームで吸引された空気を循環させ、かつイオンを含ませて、被浄化フィルタに向けて再度送る場合、空気が循環される循環経路に、バキュームで吸引した空気から埃塵を除去するエアフィルタが設けられることが好ましい。
【０００９】
循環経路には孔が設けられたほうが良く、この場合、上記循環経路を通る空気の一部が、孔から外部に出されることとなり、被浄化フィルタに向けて送られるイオンを含む空気の流量が、バキュームが吸引する空気の流量より少なくなる。
【００１０】
バキュームは、負圧により空気を吸引し、かつ空気を循環させる送風機を備えていることが好ましい。この場合、例えば、送風機の上流側にエアフィルタが、送風機の下流側にイオン発生器が配置される。
【００１１】
例えば、イオンを含む空気は、被浄化フィルタの一方の面から一方の面の反対側の面である他方の面に通される。この場合、被浄化フィルタは、他方の面側が上流となるように使用されたものであることが好ましい。また、例えば、被浄化フィルタの一方の面に対向する位置からイオンを含む空気が一方の面に向けて送られるとともに、被浄化フィルタの他方の面に対向するように、バキュームの吸引口が配置される。
【００１２】
本発明に係るフィルタ浄化方法は、イオン発生器で発生したイオンを含む空気を、被浄化フィルタを通るようにバキュームにより吸引し、被浄化フィルタに付着した埃塵を除去することを特徴とする。
【発明の効果】
【００１３】
本発明においては、フィルタに付着した埃塵がイオンによる除電によって剥がれやすくなるので、バキュームによって埃塵が効率的に除去され、フィルタを短時間で浄化させることが可能になる。また、液体洗浄・乾燥が必要とされないので、浄化装置の構造が比較的簡単になり、例えば装置の持ち運びができるようになる。
【図面の簡単な説明】
【００１４】
【図１】本発明に一実施形態に係るフィルタ浄化装置を示す模式図である。
【発明を実施するための形態】
【００１５】
以下図面を参照しつつ、本発明の実施形態を説明する。
図１に示すように、本実施形態に係るフィルタ浄化装置１０は、バキューム１１と、イオン発生器１２と、被浄化フィルタ１３を保持するためのフィルタ保持部材１４とを備える。被浄化フィルタ１３は、例えば、枠体内部に、シート状の濾材がひだ状に折られて形成された濾材パックが収納されたエアフィルタである。被浄化フィルタ１３は、使用済みフィルタであって、捕集した埃塵が多く付着されたものである。
【００１６】
フィルタ保持部材１４は、上部が開放される箱状の部材である。フィルタ保持部材１４は、その内部に被浄化フィルタ１３を支持する支持部材１６が設けられる。支持部材１６は、フィルタ保持部材１４の内部を上下に仕切るように配置された網状の部材である。被浄化フィルタ１３は、一方の開口が下面１３Ａに、他方の開口が上面１３Ｂとなるように、支持部材１６の上に載置される。フィルタ保持部材１４の底面１４Ｄの中央には、空気送出口１４Ａがあり、空気送出口１４Ａは、フィルタ１３の下面１３Ａに対向することになる。
【００１７】
被浄化フィルタ１３は、上面１３Ｂが、上流側となるように使用されるものである。すなわち、被浄化フィルタ１３は、上面１３Ｂの開口から下面１３Ａの開口に空気が流されて使用されたものであり、フィルタ１３によって捕集された埃塵は、上面１３Ｂ側に付着されている。
【００１８】
バキューム１１は、吸引ホース２０、エアフィルタ２１、及びブロア２３を備える。吸引ホース２０は可撓性を有し、ホース先端の吸引口２５を移動自在にする。吸引口２５は、被浄化フィルタ１３の上面１３Ｂに対向するように配置される。バキューム１１は、モータ２２によって回転されるブロア（送風機）２３によって負圧を発生させ、吸引口２５から、被浄化フィルタ１３に付着された埃塵を空気ととともに吸引する。吸引された埃塵は、ブロア２３の上流に配置されたエアフィルタ２１によって取り除かれる。
【００１９】
吸引口２５の開口面積は、被浄化フィルタ１３の上面１３Ｂの面積よりも小さい。そのため、吸引口２５は移動させられ、被浄化フィルタ１３の一部分の埃塵を除去する作業が繰り返され、これにより、被浄化フィルタ１３全体の埃塵が除去される。吸引口２５には、ノズルブラシ２６が取り付けられ、埃塵が除去されるとき、被浄化フィルタ１３の上面１３Ｂは、ノズルブラシ２６によって擦られても良い。
【００２０】
吸引ホース２０の基端は、内部にエアフィルタ２１が収納されたフィルタケーシング３１に接続される。フィルタケーシング３１は、連結通路３２を介して、ブロア２３が内部に収納されたブロアケーシング３３に接続される。連結通路３２は、その断面積が、フィルタケーシング３１側からブロアケーシング３３に向かうに従って徐々に小さくなる。ブロアケーシング３３には、ブロア２３の下流側に、後述する循環経路に流される空気の流量を低下させるための孔３３Ｈが設けられる。
【００２１】
ブロアケーシング３３は、接続通路３４を介して、フィルタ保持部材１４の空気送出口１４Ａに接続される。接続通路３４の内周面には、イオン発生器１２が取り付けられ、これにより、ブロア２３の下流側にイオン発生器１２が配置されることになる。図１においてイオン発生器１２は、接続通路３４の流路を挟み込むように２つ設けられるが、その数が限定されるものではない。
【００２２】
各イオン発生器１２は、マイナスイオンを発生させるものであり、不図示の一対の放電電極が１組又は複数組設けられて構成される。イオン発生器１２では、各放電電極間に直流電圧が印加されることにより、放電電極付近にマイナス電荷が生じ、そのマイナス電荷が空気中の酸素や水分子に作用し、マイナスイオンが発生する。
【００２３】
本実施形態では、ブロア２３の負圧により、吸引口２５から吸引された空気は、吸引ホース２０、フィルタケーシング３１、連結通路３２、ブロアケーシング３３を介して、接続通路３４に押し流される。接続通路３４に押し流された空気は、イオン発生器１２で発生したマイナスイオンを含むこととなり、そのマイナスイオンを含む空気は、空気送出口１４Ａから被浄化フィルタ１３の下面１３Ａ側に送られる。
【００２４】
下面１３Ａ側に送られたマイナスイオンを含む空気は、被浄化フィルタ１３の上方に配置された吸引口２５によって吸引され、被浄化フィルタ１３を通過させられる。このように、マイナスイオンを含む空気が被浄化フィルタ１３を通されると、マイナスイオンによって、被浄化フィルタ１３に帯電された静電気が除去される。そのため、被浄化フィルタ１３の上面１３Ｂ側に付着されている埃塵は、除電効果により被浄化フィルタ１３から剥がれやすくなり、バキューム１１によって容易に吸引除去される。なお、ノズルブラシ２６が上面１３Ｂを擦ることにより、静電気が発生したとしても、そのような静電気もマイナスイオンによって除去される。さらに、被浄化フィルタ１３は、このように埃塵が除去されつつ、マイナスイオンによって除菌もされる。
【００２５】
また、吸引口２５で吸引された空気は、吸引ホース２０、フィルタケーシング３１、連結通路３２、ブロアケーシング３３、接続通路３４及びフィルタ保持部材１４を循環経路として、フィルタ浄化装置１０で循環されて、再度吸引口２５に吸引される。この循環経路の一部には、上記したように孔３３Ｈが設けられ、バキューム１１で吸引された空気はその一部が、孔３３Ｈから循環経路外に出される。これにより、空気送出口１４Ａから被浄化フィルタ１３の下面１３Ａに向けて送られる空気の流量は、吸引口２５で吸引される空気の流量より少なくなる。
【００２６】
そのため、被浄化フィルタ１３を通る空気は、吸引口２５によって全て吸引可能になる。そして、被浄化フィルタ１３の吸引口２５に対向する部分以外には、空気送出口１４Ａから殆ど空気が送られなくなり、被浄化フィルタ１３から埃塵が舞い上がりにくくなる。また、空気送出口１４Ａから送られた空気以外の空気、すなわち、被浄化フィルタ１３を通らないフィルタ浄化装置１０の外部の空気も、吸引口２５から吸引されることになる。
【００２７】
また、吸引除去された埃塵は、エアフィルタ２１によって除去され、エアフィルタ２１の下流側、すなわち、被浄化フィルタ１３の下面１３Ａ側には浄化された清浄な空気が送られる。したがって、除去された埃塵が循環されて被浄化フィルタ１３に再度付着されることはない。
【００２８】
以上のように、本実施形態では、被浄化フィルタ１３は、イオンによって除電されつつバキューム１１によって埃塵が除去されるので、フィルタを短時間で浄化することが可能になる。そして、フィルタ浄化装置１０は、構造が簡単で持ち運び可能なものとなるので、被浄化フィルタ１３は、フィルタ設置場所で浄化され直ちに再利用可能になる。また、被浄化フィルタ１３は、イオンによって除菌もされるので、食品工場や病院等で使用される場合に好適である。さらには、被浄化フィルタ１３に付着された埃塵は、上記したように空気流量が調整されたことにより舞い上がりにくく、作業者が埃塵を含む汚染空気に接触するのが防止される。
【００２９】
なお、本実施形態におけるイオン発生器１２は、例えば放電電極間に交流電圧が作用されることにより、マイナスイオンとプラスイオンの両方を発生させるものであっても良い。
【００３０】
また、ブロアケーシング３３に設けられた孔３３Ｈは省略されていても良い。孔３３Ｈが省略される場合、空気送出口１４Ａから被浄化フィルタ１３の下面１３Ａに向けて送られるイオンを含む空気の流量は、バキューム１１によって吸引される空気の流量と同じになる。このように空気流量が同じでも、被浄化フィルタ１３を通る空気は、吸引口２５によって全て吸引可能であるため、埃塵の舞い上がりは比較的適切に防止される。
【符号の説明】
【００３１】
１０  フィルタ浄化装置
１１  バキューム
１２  イオン発生器
１３  被浄化フィルタ
２０  吸引ホース
２１  エアフィルタ
２３  ブロア（送風機）
２５  吸引口
【図１】
2013000682.tif 000003